(57)【要約】【課題】現場での作業負担が少なく、シーリング材等によって排水性が妨げられる恐れがなく、外観意匠性にも優れた排水部材および排水構造を提供すること。【解決手段】排水部材１は、窓上見切り縁１１の前面部１１aを外側から当接保持するカバー部２と、窓上見切り縁１１の水平部１１bを外側から当接保持する底面部３と、前記底面部３の背面側端部から上方に屈曲形成され、窓上見切り縁１１の背面下端部１１dを外側から当接保持する屈曲部４と、前記カバー部２の下端部から前方斜め下方向へ延設された前面片５１と前記底面部３の前方端部から前記カバー部２よりも前方へ延設された下面片５２とを備えた延出部５とを有するものとし、前記延出部５に、前面片５１と下面片５２の間に、水抜き穴７を備えた排水部６を設ける。【選択図】図１
2012046963.tif 000002
【特許請求の範囲】
【請求項１】
窓上見切り縁の水平部に設けられた開口部を外側から覆って取り付けられる排水部材であって、
排水部材は、前記開口部の幅より幅広な部材であるとともに、
窓上見切り縁の前面部を外側から当接保持するカバー部と、
窓上見切り縁の水平部を外側から当接保持する底面部と、
前記底面部の背面側端部から上方に屈曲形成され、窓上見切り縁の背面下端部を外側から当接保持する屈曲部と、
前記カバー部の下端部から前方斜め下方向へ延設された前面片と前記底面部の前方端部から前記カバー部よりも前方へ延設された下面片とを備えた延出部と、
を有し、
前記延出部には、前面片と下面片の間に、水抜き穴を備えた排水部が設けられていることを特徴とする排水部材。
【請求項２】
延出部の下面片は、先端方向へ向かって下方に傾斜していることを特徴とする請求項１に記載の排水部材。
【請求項３】
延出部の左右方向の端部には、側面部が設けられていることを特徴とする請求項１または２に記載の排水部材。
【請求項４】
窓上見切り縁の底面に設けられた開口部を外側から排水部材が覆って取り付けられており、この排水部材は、前記開口部より幅広な部材であるとともに、
窓上見切り縁の前面を外側から当接保持するカバー部と、
窓上見切り縁の底面を外側から当接保持する底面部と、
前記底面部の背面側端部から上方に屈曲形成され、窓上見切り縁の背面下端部を外側から当接保持する屈曲部と、
前記カバー部の下端部から前方斜め下方向へ延設された前面片と前記底面部の前方端部から前記カバー部よりも前方へ延設された下面片とを備えた延出部と、
を有し、
前記延出部には、前面片と下面片の間に水抜き穴を備えた排水部が設けられており、窓上見切り縁内部の水が、前記排水部の水抜き穴から排水されることを特徴とする排水構造。
【請求項５】
延出部の下面片は、先端方向へ向かって下方に傾斜していることを特徴とする請求項４に記載の排水構造。
【請求項６】
延出部の左右方向の端部には、側面部が設けられていることを特徴とする請求項４または５に記載の排水構造。
【発明の詳細な説明】
【技術分野】
【０００１】
本発明は、排水部材および排水講造に関するものである。
【背景技術】
【０００２】
従来より、外装材を保持する見切り縁の内部に侵入した水を外部に排水するための様々な構造が知られている。
【０００３】
図６（Ａ）〜（Ｃ）は、従来の排水構造を例示した断面概要図である。図６（Ａ）〜（Ｃ）では、窓上見切り縁１１は、固定部材Ｔによって胴縁１４に固定されている。そして、窓上見切り縁１１の内部には、外装材１５の下端部１５aが挿入、保持されている。また、窓上見切り縁１１と開口部上枠１６との間にはシーリング材１７が充填されている。
【０００４】
そして、図６（Ａ）に例示した構造では、施工者が窓上見切り縁１１の底面に排水口１８を設けている。また、図６（Ｂ）に例示した構造では、予め排水口１８を設けた窓上見切り縁１１を配設している。
【０００５】
さらに、本出願人は、図６（Ｃ）に例示したように、窓上見切り縁１１に外装材１５の載置用段部１９を設け、この載置用段部１９よりも下方の下隅部に排水口１８を設けた排水講造を提案している（特許文献１）。
【先行技術文献】
【特許文献】
【０００６】
【特許文献１】特開2009−20618号公報
【発明の概要】
【発明が解決しようとする課題】
【０００７】
しかしながら、図６（Ａ）に例示した構造の場合、排水口１８の配設に伴う現場での作業負担が大きいことに加え、排水口１８からの排水性は施工者の技術に依存するため、安定的に排水性が確保されているとはいい難い。
【０００８】
一方、図６（Ｂ）に例示した構造の場合、現場での作業負担は少ないと考えられる。しかしながら、図６（Ｂ）に例示した構造の場合、窓上見切り縁１１と開口部上枠１６との間のシーリング材１７によって排水口１８が塞がれる恐れがあり、十分な排水性が確保されない場合がある。
【０００９】
さらに、図６（Ａ）（Ｂ）に例示した構造は、外装材１５の下端部１５aが窓上見切り縁１１の底面に当接すると、排水口１８が塞がれて排水性が悪くなるという問題もある。
【００１０】
これに対し、図６（Ｃ）の構造によれば、現場での作業負担が少なく、排水口１８がシーリング材１７や外装材１５の下端部１５aによって塞がれる恐れも少ないと考えられる。しかしながら、図６（Ｃ）の構造の場合、排水口１８は側方に開口しているため外部から目につき易い場合がある。さらに、この排水口１８を通じて、窓上見切り縁１１内部の外装材１５の下端部１５aからウレタン材等が見えてしまう場合もあり、外観意匠性については改善すべき点があると考えられた。
【００１１】
本発明は、以上のような事情に鑑みてなされたものであり、現場での作業負担が少なく、シーリング材等によって排水性が妨げられる恐れがなく、外観意匠性にも優れた排水部材および排水構造を提供することを課題としている。
【課題を解決するための手段】
【００１２】
上記の課題を解決するため、本発明の排水部材は、窓上見切り縁の水平部に設けられた開口部を外側から覆って取り付けられる排水部材であって、排水部材は、前記開口部の幅より幅広な部材であるとともに、窓上見切り縁の前面部を外側から当接保持するカバー部と、窓上見切り縁の水平部を外側から当接保持する底面部と、前記底面部の背面側端部から上方に屈曲形成され、窓上見切り縁の背面下端部を外側から当接保持する屈曲部と、前記カバー部の下端部から前方斜め下方向へ延設された前面片と前記底面部の前方端部から前記カバー部よりも前方へ延設された下面片とを備えた延出部と、を有し、  前記延出部には、前面片と下面片の間に、水抜き穴を備えた排水部が設けられていることを特徴としている。
【００１３】
この排水部材では、延出部の下面片は、先端方向へ向かって下方に傾斜していることが好ましい。
【００１４】
この排水部材では、延出部の左右方向の端部には、側面部が設けられていることが好ましい。
【００１５】
本発明の排水構造は、窓上見切り縁の底面に設けられた開口部を外側から排水部材が覆って取り付けられており、この排水部材は、前記開口部より幅広な部材であるとともに、窓上見切り縁の前面を外側から当接保持するカバー部と、窓上見切り縁の底面を外側から当接保持する底面部と、前記底面部の背面側端部から上方に屈曲形成され、窓上見切り縁の背面下端部を外側から当接保持する屈曲部と、  前記カバー部の下端部から前方斜め下方向へ延設された前面片と前記底面部の前方端部から前記カバー部よりも前方へ延設された下面片とを備えた延出部と、を有し、前記延出部には、前面片と下面片の間に水抜き穴を備えた排水部が設けられており、窓上見切り縁内部の水が、前記排水部の水抜き穴から排水されることを特徴とする。
【００１６】
この排水構造では、延出部の下面片は、先端方向へ向かって下方に傾斜していることが好ましい。
【００１７】
この排水構造では、延出部の左右方向の端部には、側面部が設けられていることが好ましい。
【発明の効果】
【００１８】
本発明の排水部材および排水構造は、現場での作業負担が少なく、シーリング材等によって排水性が妨げられる恐れがなく、外観意匠性に優れている。
【図面の簡単な説明】
【００１９】
【図１】本発明の排水部材の施工状態を例示した斜視図である。
【図２】本発明の排水部材が取り付けられる窓上見切り縁の一実施形態を例示した斜視図である。
【図３】本発明の排水部材の一実施形態を例示した斜視図である。
【図４】本発明の排水部材の一実施形態を例示した縦断面図である。
【図５】本発明の排水部材および排水構造を例示した断面概要図である。図１のＡ−Ａ’断面を示している。
【図６】（Ａ）〜（Ｃ）は、従来の排水構造を例示した断面概要図である。
【発明を実施するための形態】
【００２０】
図１は、本発明の排水部材の施工状態を例示した斜視図である。図１においては、外装材、シーリング材、開口部上枠、胴縁等の図示は省略している。図２は、本発明の排水部材が取り付けられる窓上見切り縁の一実施形態を例示した斜視図である。
【００２１】
窓上見切り縁１１と縦見切り縁１２の間のコーナー部には、Ｌ字型のキャップ部材１３が外側から取り付けられている。キャップ部材１３は、外部へ露出するキャップ面部１３aと、このキャップ面部１３aの外周端部から後方へ延設された差込部１３bを有している。この差込部１３bによって、コーナー部への取り付けが可能とされている。キャップ部材１３は、例えば、窓上見切り縁１１の端部と縦見切り縁１２の端部を外側から覆うように嵌め込んで取り付けることができる。また、ネジ等の固定部材を適宜使用することもできる。
【００２２】
窓上見切り縁１１は、水平方向に長尺であり、断面は略コ字状に設計されている。具体的には、窓上見切り縁１１は、前面部１１a、水平部１１bおよび背面部１１cを有している。前面部１１aおよび背面部１１cは略垂直に起立しており、背面部１１cは、前面部１１aより高く設計されている。また、前面部１１aおよび背面部１１cの上端部は、折り返し成形されている。前面部１１aと背面部１１cとの間には、水平部１１bが略水平に設けられている。窓上見切り縁１１の前面部１１aおよび背面部１１cの間に外装材の下端部が挿入されて外装材が取り付けられる。そして、窓上見切り縁１１のコーナー部側端部の近傍には、背面部１１cから水平部１１bに亘って切り欠け状の開口部Ｒが設けられている。開口部Ｒの形状および幅は、窓上見切り縁１１内部の水が円滑に排水されるように設計されている。
【００２３】
排水部材１は、窓上見切り縁１１の開口部Ｒの幅ｒより幅広に設計され、この開口部Ｒを外側から覆って取り付けられている。排水部材１は、窓上見切り縁１１と縦見切り縁１２の間のコーナー部近傍に取り付けられるため、外観上目につき難い。
【００２４】
具体的には、排水部材１は、カバー部２、底面部３、屈曲部４および延出部５を有している。
【００２５】
さらに、図１、図３および図４を用いて本発明の排水部材について詳しく説明する。図３は、本発明の排水部材の一実施形態を例示した斜視図である。図４は、本発明の排水部材の一実施形態を例示した縦断面図である。
【００２６】
排水部材１のカバー部２は、略垂直に起立しており、垂直方向長さが、窓上見切り縁１１の前面部１１aと略等しく設計されている。カバー部２の上端部には、後方へ屈曲する係合爪２aが設けられており、この係合爪２aが、窓上見切り縁１１の前面部１１aの上端部に外側から係合する。カバー部２は、窓上見切り縁１１の前面部１１aを外側から当接保持する。係合爪２aによる係合によって、排水部材１は、窓上見切り縁１１からの脱落が抑制されている。
【００２７】
排水部材１の底面部３は、略水平であり、窓上見切り縁１１の水平部１１bの奥行き方向長さ（前面部１１aと背面部１１cの間の長さ）と略等しい長さに設計されている。さらに、排水部材１の底面部３の背面側端部３aには、上方に屈曲成形された屈曲部４が設けられている。排水部材１の底面部３は、窓上見切り縁１１の開口部Ｒの両側の水平部１１bを当接保持している。したがって、窓上見切り縁１１の水平部１１bに設けられた開口部Ｒは、排水部材１の底面部３によって外側から覆われている。
【００２８】
さらに、屈曲部４は、窓上見切り縁１１の開口部Ｒの両側の背面下端部１１dを外側から当接保持している。これによって、排水部材１は、窓上見切り縁１１からの脱落が抑制されている。
【００２９】
そして、排水部材１は、カバー部２の下端部２bと底面部３の前方端部３bの間に、前面片５１と下面片５２とを備えた延出部５を有している。
【００３０】
延出部５の前面片５１は、カバー部２の下端部２bから前方斜め下方向へ延設されている。具体的には、前面片５１は、前方斜め下方向への傾斜面５１aと、この傾斜面５１aから下方へ略垂直に延設された垂直面５１bを有している。
【００３１】
さらに、延出部５の下面片５２は、底面部３の前方端部３bから前方へ延設されている。下面片５２の先端は、カバー部２よりも前方に位置している。下面片５２は、底面部３よりも一段低く、先端方向へ向かって下方に傾斜している。そして、延出部５には、前面片５１と下面片５２の間に排水部６が設けられており、この排水部６には、下方へ向かって開口する水抜き穴７が設けられている。水抜き穴７は、排水部６の両端を除く領域に幅広に設けられている。
【００３２】
延出部５の左右方向の端部には、側面部８が設けられている。側面部８は、延出部５（前面片５１および下面片５２）の側面形状と対応する形状の外縁部８１と、Ｌ字状の内縁部８２とによって形成されている。具体的には、内縁部８２は、カバー部２の下端部２bから垂直方向に延びる垂直部８２aと、底面部３の前方端部３bからの水平方向に延びる水平部８２bとによって形成されている。排水部材１が窓上見切り縁１１に取り付けられると、垂直部８２aは、窓上見切り縁１１の前面部１１aの下端部と当接するとともに、水平部８２bは、窓上見切り縁１１の水平部１１bの前方と当接する。排水部材１は、延出部５の前面片５１および下面片５２によって形成される空間が側面部８によって外部から覆われている。このため、窓上見切り縁１１内部の外装材が外部に露出し難く、外観意匠性に優れている。
【００３３】
図５は、本発明の排水部材および排水構造を例示した断面概要図であり、図１のＡ−Ａ’断面を示している。図中の矢印は、窓上見切り縁１１内部から排水される水の流れを示している。
【００３４】
窓上見切り縁１１の背面部１１cは、固定部材Ｔによって胴縁１４に固定されている。そして、窓上見切り縁１１の内部には、外装材１５の下端部１５aが挿入、保持されている。また、排水部材１と開口部上枠１６との間にはシーリング材１７が充填されている。
【００３５】
窓上見切り縁１１の前面部１１aは、排水部材１のカバー部２によって外側から当接保持されている。窓上見切り縁１１の水平部１１bは、排水部材１の底面部３によって外側から当接保持されている。窓上見切り縁１１の背面下端部１１dは、排水部材１の屈曲部４によって外側から当接保持されている。
【００３６】
窓上見切り縁１１の開口部Ｒは、排水部材１によって外側から覆われているため、窓上見切り縁１１内部に侵入した水は、開口部Ｒから流れ出て排水部材１の底面部３に受け止められる。
【００３７】
そして、排水部材１の底面部３に達した水は、前方の延出部５へと流れ出て、延出部５の前面片５１と下面片５２との間に設けられている排水部６の水抜き穴７から排水される。排水部材１は、水抜き穴７を備えているため、現場での開口作業が不要であり、作業負担が軽減されている。なお、排水部材１には、側面部８（図１、図３）が設けられているため、延出部５の左右方向の端部からの水の流出が抑制されている。
【００３８】
さらに、排水部６は、カバー部２よりも前方下方へ突出した位置に設けられているため、排水部材１と開口部上枠１６との間に充填されたシーリング材１７によって、排水部６の水抜き穴７が閉鎖され難い構造となっている。したがって、排水部材１は、窓上見切り縁１１内部に侵入した水を安定的に排水することができる。また、窓上見切り縁１１の開口部Ｒは、背面部１１cから水平部１１bの前方に亘って切り欠け状に設けられているため、外装材１５の下端部１５aによって開口部Ｒが塞がれ難い。さらに、排水部６の水抜き穴７も外装材１５の下端部１５aによって塞がれる恐れがないため、より安定的な排水が可能とされている。
【００３９】
また、延出部５の下面片５２は先端方向へ向かって下方に傾斜している。このため、窓上見切り縁１１内部に侵入した水は、下面片５２から排水部６の水抜き穴７まで円滑に流れ、効果的に排水される。
【００４０】
そして、排水部６の水抜き穴７は、下方に開口しているため外部から目につき難い。また、水抜き穴７は、延出部５の先端（前面片５１と下面片５２との間）の排水部６に設けられているため、水抜き穴７から内部の外装材１５の下端部１５aが見え難く、外観意匠性が良好に維持される。
【００４１】
なお、本発明の排水部材および排水構造は、以上の形態に限定されるものではない。例えば、窓上見切り縁の開口部は、窓上見切り縁の水平部にのみ設けることもできる。また、排水部材のカバー部、底面部、屈曲部の形状は、窓上見切り縁、窓上見切り縁の開口部等の形状に応じて適宜設計することができる。また、排水部材の延出部の形状、排水部の水抜き穴の形状等も様々な形態が可能である。
【符号の説明】
【００４２】
１  排水部材
２  カバー部
３  底面部
４  屈曲部
５  延出部
５１  前面片
５２  下面片
６  排水部
７  水抜き穴
８  側面部
１１  窓上見切り縁
１１a  前面部
１１b  水平部
１１d  背面下端部
【図１】
2012046963.tif 000003
【図２】
2012046963.tif 000004
【図３】
2012046963.tif 000005
【図４】
2012046963.tif 000006
【図５】
2012046963.tif 000007
【図６】
2012046963.tif 000008